【事件の表示】
　特願２０１２−２６８８８０号「歯科用インプラント修復システム」拒絶査定不服審判事件〔平成２５年　４月１１日出願公開、特開２０１３−　６３３１６号〕について、次のとおり審決する。
【結　論】
　本件審判の請求は、成り立たない。
【理　由】
第１　手続の経緯
　本願は、特願２０１０−５４６１４９号（以下「原出願」という。）の一部を平成２４年１２月７日に新たな特許出願としたものであって、平成２５年１１月１９日付け拒絶理由通知に対し、平成２６年３月２２日付けで手続補正がされたが、同年７月２３日付けで拒絶査定がなされ、これに対し、同年１１月２５日に拒絶査定不服の審判が請求されたものである。
第２　本願発明
　本願の請求項１ないし１７に係る発明は、平成２６年３月２２日付け手続補正書によって補正された特許請求の範囲の請求項１ないし１７に記載された事項により特定されるとおりのものであるところ、その請求項１に係る発明（以下「本願発明」という。）は、次のとおりである。
「【請求項１】
　インプラントと、
　インプラントに固定されるアバットメントと、
　およびアバットメント上に配置された歯科用補綴物とを具備しており、
　前記アバットメントは、インプラントに据付けるための基礎端および歯科用補綴物を支持するための冠状端を有する単一ユニット構造から成り、
　前記単一ユニット構造はセラミック材料で製作され、
　前記単一ユニット構造は前記歯科用補綴物、前記周囲の歯列および前記周囲の歯茎の組織の色に全体にわたり適合するために多色である歯科用インプラント修復システム。」
第３　優先権の主張について
　原出願は、受理官庁としての米国特許商標庁に対し２００９年４月６日を国際出願日としてなされた国際出願（ＰＣＴ／ＵＳ２００９／０３９６４０、以下「本件国際出願」という。）による特許出願である。
　本件国際出願には、２００８年２月７日を出願日とする米国特許出願（出願番号：１２／０２７６５７）に基づいてパリ条約による優先権主張がなされているが、本件国際出願は、先の出願である当該米国特許出願からパリ条約に規定する優先期間である１２ヶ月を超えてなされた国際出願であるから、本件国際出願の国際段階における優先権主張は、日本での国内段階移行後においてそのまま有効なものとはいえない。
　また、本件国際出願における指定官庁である日本国特許庁に対して優先権の回復請求がなされると共に当該請求に基づいて優先権が回復されたという事実もない。
　そうすると、原出願は優先権がないものとして扱われるのであるから、原出願の一部を新たな特許出願とした本願においても、その新規性、進歩性等の要件についての判断は、上記の国際出願日を基準日として行う。
　なお、請求人は、平成２６年３月２２日付け意見書において、「ＰＣＴ受理官庁の優先権確認書」及び「欧州特許庁の優先権確認書」などを提出すると共に審判請求書において「本願の優先権主張に関しましては、対応する欧州出願において、欧州特許庁による権利回復申請が認められておりますので、審判請求人と致しましては、本願につきましても同様に本願の優先権主張が認められるべきものと思量致します。」などと主張する。
　しかしながら、本件国際出願の国際出願日当時において、指定官庁である日本国特許庁については、特許協力条約規則４９の３．１（ａ）から（ｄ）までの規定は適用されないのであるから、仮に、受理官庁において優先権の回復が認められたとしても、その効果は日本国特許庁に及ぶものではない。また、他の指定官庁である欧州特許庁において優先権が回復されたとしても、その事実が自動的に日本国特許庁を拘束するとの法的な根拠も見当たらない。
　請求人の主張は、受理官庁ないし他の指定官庁における優先権の回復の効果が、直ちに日本国特許庁にも及ぶことを前提とする主張と見受けられるが、請求人の当該主張は、上記のとおりその前提において失当であって採用できない。
第４　引用例の記載事項
　原査定の拒絶の理由に引用され、本件国際出願の国際出願日前に頒布された刊行物である米国特許出願公開第２００８／０２７４４４０号明細書（以下「引用例」という。）には、図面と共に次の事項が記載されている。なお、括弧内に付記した邦訳は、引用例のパテントファミリーである特表２０１１−５２５１２０号公報の記載を主に援用した。
ａ．「BACKGROUND
[0002]　The present invention relates generally to restorative dentistry. More specifically, the invention relates to an implant abutment for dental restorations.」
（背景技術
　本発明は、一般に修復歯科学に関する。特に本発明は歯科修復物のためのインプラントアバットメントに関する。）
ｂ．「SUMMARY OF THE INVENTION
[0017]　In one embodiment, the present invention provides an aesthetic implant abutment for attaching a restorative dental prosthesis within a patient's mouth. In accordance with the invention, the implant abutment includes a core and a cuff surrounding the core, wherein the cuff is colored to match the color of the prosthesis.
[0018]　In various embodiments, the core is fabricated from metal, such as titanium or a titanium alloy, and the cuff and prosthesis are fabricated from a ceramic or polymeric material. In a preferred embodiment, both the cuff and prosthesis are formed of ceramic.
[0019]　The invention further provides a dental implant restoration system that includes an implant, a dental abutment having a core and a cuff surrounding the core fixed to the implant, and a dental prosthesis fixed to the abutment, wherein the abutment cuff is colored to match the color of the prosthesis.
[0020]　The invention also provides a method of fabricating a dental implant restoration that includes, fixing an implant within a patient's mouth; fixing a dental abutment having a core and a cuff surrounding the core, to the implant; and fixing a dental prosthesis to the abutment, wherein the abutment cuff is colored to match the color of the prosthesis.
[0021]　In yet another embodiment, a single unit abutment is fabricated of a ceramic material, shaded to match the color of the dental prosthesis, and/or the surrounding dentition and the surrounding gingival tissue. The abutment is anatomically shaped and shaded to match the near net shape and shade of the prosthesis that is attached thereto. As the abutment gets closer to the net shape and becomes more naturally shaded, it obviates the need for a restoration on top and becomes the restoration itself. Additionally, the abutment is shaded to match the color of the surrounding dentition and gingival tissue.」
（発明の概要
　実施例において、本発明は、美的インプラントアバットメントを患者の口腔内で修復歯科用補綴物を取付けるために提供する。本発明に従って、インプラントアバットメントは、コアを囲んでいるコアおよびカフを含み、カフは補綴物の色に適合するために色付きである。
　各種実施形態において、コアは例えばチタンまたはチタン合金などの金属から作られ、カフおよび補綴物はセラミックまたはポリマー材料から作られる。好ましい実施例において、カフおよび補綴物はセラミックで形成される。
　本発明は、更に、インプラントを含む歯科用インプラント修復システム、インプラントに固定するコアを囲んでいるコアおよびカフを有する歯牙のアバットメントおよび、アバットメントに固定する歯科用補綴物を提供し、アバットメント・カフは、補綴物の色に適合させるために色付きである。
　本発明はまた、歯科用インプラント修復物を製造する方法であって、患者の口腔内でインプラントを固定し、インプラントにコアを囲んでいるコアおよびカフを備えている歯科用アバットメントを固定し、歯科用補綴物をアバットメントに取付け、アバットメント・カフは補綴物の色に適合するために色付きである方法を提供する。
　さらに別の実施形態では、単一ユニット・アバットメントはセラミック材料で製造され、歯科用補綴物の色に適合するようにシェードをつけられ、および／または歯列を取囲み、歯茎の組織を取り囲む。アバットメントは、解剖学的に成形されて、それに取付けられる補綴物のニアネット形状およびシェードに適合するためにシェードをつけられる。アバットメントがネット形状により近くなり、より自然にシェードがついたようになるにつれて上部の修復物が不要となり、修復物そのものになる。加えて、アバットメントは、周囲の歯列および歯茎の組織の色に適合するためにシェードをつけられる。）
ｃ．「DETAILED DESCRIPTION OF THE INVENTION
[0036]　FIG. 3  shows a dental restorative system  100  that includes a prosthesis  102 , an abutment  104 , and an implant  106 . The abutment and prosthesis are attached together and connected to the implant as illustrated.」
（発明の詳細な説明
　図３は、補綴物１０２、アバットメント１０４、およびインプラント１０６を含む歯科用修復システム１００を示す。アバットメントおよび補綴物は、緊密に取付けられ、図示するようにインプラントに接続している。）
ｄ．「What is claimed is:
　・・・
18.　 A dental implant restoration system comprising:
 an implant; an abutment fixed to an implant; and a dental prosthesis disposed atop the abutment; wherein the abutment comprises a single-unit structure having a basal end for anchoring to an implant and a coronal end for supporting a dental prosthesis; wherein the single-unit structure is fabricated of a ceramic material; wherein the single-unit structure is multicolored throughout to match the color of the dental prosthesis, the surrounding dentition and the surrounding gingival tissue. 
19. 　The dental implant restoration system of  claim 18  wherein the abutment is attached to the implant externally by a screw or internally by a bore contained in the abutment. 
20. 　The dental implant restoration system of  claim 18  wherein the implant comprises a male connection component and the abutment comprises a female connection component to connect to one another. 
21. 　The dental implant restoration system of  claim 18  wherein the implant comprises a female connection component and the abutment comprises a male connection component to connect to one another. 
22. 　The dental implant restoration system of  claim 18  wherein the basal end is gingival-colored, the coronal end is incisal-colored and the area in between the basal and coronal ends is dentin colored. 
23. 　The dental implant restoration system of  claim 18  wherein the ceramic material comprises zirconia, alumina, or mixture thereof and wherein the ceramic material has a flexural strength exceeding 1000 MPa. 
24. 　The dental implant restoration system of  claim 23  wherein the ceramic material has a flexural strength exceeding 1500 MPa. 
25. 　The dental implant restoration system of  claim 23  wherein the ceramic material has a flexural strength exceeding 2000 MPa.
26. 　The dental implant restoration system of  claim 18  wherein the abutment is a prepable abutment and wherein the single-unit structure comprises a base section and coronal section, wherein the base section comprises a core and an outer layer of material overlaying the core, wherein the core is a dentin color and wherein the outer layer is a gingival color. 
27. 　The dental implant restoration system of  claim 26  wherein the outer layer of material has a thickness in the range from about 0.25 to about 1.00 mm. 
28. 　The dental implant restoration system of  claim 26  wherein the abutment comprises a cervical line, and wherein the top of the base section and bottom of the coronal section meet at the cervical line of the abutment. 
29. 　The dental implant restoration system of  claim 28  wherein the location of the cervical line changes after the abutment is prepared for placement on an implant. 
30.　 The implant restoration system of  claim 29  wherein the abutment is prepared using hand-held instruments and procedures, partially automated instruments and procedures, or fully automated instruments and procedures. 
31. 　The dental implant restoration system of  claim 18  wherein the dental prosthesis comprises dental ceramic, porcelain, composite or hybrid material. 
32.　 The dental implant restoration system of  claim 31  wherein the dental ceramic, porcelain, composite or hybrid material is fabricated using hand-held instruments and procedures, partially automated instruments and procedures, or fully automated instruments and procedures. 
33. 　The dental implant restoration system of  claim 32  wherein the partially or fully automated instruments and procedures comprises CAD/CAM, Rapid-Prototyping, plasma or flame deposition, electroforming, spraying or dipping.
　・・・
47. 　The dental implant restoration system of  claim 18  wherein the dental prosthesis is disposed atop the abutment by pressing or layering a veneering material directly onto the abutment.」
（特許請求の範囲
　・・・
【請求項１８】
　インプラントと、
　インプラントに固定されるアバットメントと、
　およびアバットメント上に配置された歯科用補綴物とを具備しており、
　前記アバットメントは、インプラントに据付けるための基礎端および歯科用補綴物を支持するための冠状端を有する単一ユニット構造から成り、
　前記単一ユニット構造はセラミック材料で製作され、
　前記単一ユニット構造は前記歯科用補綴物、前記周囲の歯列および前記周囲の歯茎の組織の色に全体にわたり適合するために多色である歯科用インプラント修復システム。
【請求項１９】
　前記アバットメントは前記インプラントに、ネジによって外部にまたは前記アバットメントに含まれる孔によって内部に取付けられることを含む請求項１８記載の歯科用インプラント修復システム。
【請求項２０】
　前記インプラントは、オス接続構成部分および互いに接続するメス接続構成部分を具備している前記アバットメントを具備していることを含む請求項１８記載の歯科用インプラント修復システム。
【請求項２１】
　前記インプラントは、メス接続構成部分および互いに接続するオス接続構成部分を具備している前記アバットメントを具備していることを含む請求項１８記載の歯科用インプラント修復システム。
【請求項２２】
　前記基礎端は歯茎の色であり、冠状端は切端色であり基礎および冠状端の間の領域は象牙質色であることを含む請求項１８記載の歯科用インプラント修復システム。
【請求項２３】
　前記セラミック材料は、ジルコニア、アルミナ、およびその混合物から成り、前記セラミック材料は１０００ＭＰａを超える曲げ強度を有することを含む請求項１８記載の歯科用インプラント修復システム。
【請求項２４】
　前記セラミック材料は、１５００ＭＰａを超える曲げ強度を有することを含む請求項２３記載の歯科用インプラント修復システム。
【請求項２５】
　前記セラミック材料は、２０００ＭＰａを超える曲げ強度を有することを含む請求項２３記載の歯科用インプラント修復システム。
【請求項２６】
　前記アバットメントは準備可能（ｐｒｅｐａｂｌｅ）なアバットメントであり、前記単一ユニット構造は基礎部と冠状部を具備し、前記基礎部はコアおよび前記コアを覆っている材料の外部層を具備し、前記コアは象牙質色であり、前記外部層は歯茎の色であること
を含む請求項１８記載の歯科用インプラント修復システム。
【請求項２７】
　材料の前記外部層が、約０．２５から約１．００ｍｍの範囲の厚みを有することを含む請求項２６記載の歯科用インプラント修復システム。
【請求項２８】
　前記アバットメントは歯頸線を具備し、前記基礎部の前記上部および前記冠状部の下部はアバットメントの前記歯頸線において交わることを含む請求項２６記載の歯科用インプラント修復システム。
【請求項２９】
　前記アバットメントをインプラント上に配置するために準備された後に、前記歯頸線の位置が変化することを含む請求項２８記載の歯科用インプラント修復システム。
【請求項３０】
　前記アバットメントは、手で持てるサイズの器具および手順、部分的にオートメーション化した器具および手順、または全面的にオートメーション化した器具および手順を用いて準備されることを含む請求項２９記載のインプラント修復システム。
【請求項３１】
　前記歯科用補綴物は、歯科用セラミック、陶材、複合物またはハイブリッド材料を具備することを含む請求項１８記載の歯科用インプラント修復システム。
【請求項３２】
　前記歯科用セラミック、陶材、複合物またはハイブリッド材料は、手で持てるサイズの器具および手順、部分的にオートメーション化した器具および手順、または全面的にオートメーション化した器具および手順を用いて製造されることを含む請求項３１記載の歯科用インプラント修復システム。
【請求項３３】
　部分的にまたは全面的に自動化された器具および手順は、ＣＡＤ／ＣＡＭ、迅速なプロトタイピング、プラズマまたはフレーム析出、電鋳、噴霧または浸漬を具備することを含む請求項３２記載の歯科用インプラント修復システム。
　・・・
【請求項４７】
　前記歯科用補綴物は前記アバットメント上へ直接見かけを良くする（ｖｅｎｅｅｒｉｎｇ）材料を押圧するかまたは階層化することによって前記アバットメントの上に配置されることを含む請求項１８記載の歯科用インプラント修復システム。）
　以上の記載事項及び図面の図示内容を総合しつつ、特に、特許請求の範囲の請求項１８の記載を参照すれば、引用例には、次の発明（以下「引用発明」という。）が記載されている。
「インプラントと、
　インプラントに固定されるアバットメントと、
　およびアバットメント上に配置された歯科用補綴物とを具備しており、
　前記アバットメントは、インプラントに据付けるための基礎端および歯科用補綴物を支持するための冠状端を有する単一ユニット構造から成り、
　前記単一ユニット構造はセラミック材料で製作され、
　前記単一ユニット構造は前記歯科用補綴物、前記周囲の歯列および前記周囲の歯茎の組織の色に全体にわたり適合するために多色である歯科用インプラント修復システム。」
第５　対比・判断
　本願発明と引用発明とを対比するに、引用発明の「インプラント」、「インプラントに固定されるアバットメント」、「アバットメント上に配置された歯科用補綴物」、「インプラントに据付けるための基礎端」、「歯科用補綴物を支持するための冠状端」、「単一ユニット構造」、「セラミック材料」、「単一ユニット構造は前記歯科用補綴物、前記周囲の歯列および前記周囲の歯茎の組織の色に全体にわたり適合するために多色である」、「歯科用インプラント修復システム」は、文言の意味、形状又は機能等からみて、本願発明の「インプラント」、「インプラントに固定されるアバットメント」、「アバットメント上に配置された歯科用補綴物」、「インプラントに据付けるための基礎端」、「歯科用補綴物を支持するための冠状端」、「単一ユニット構造」、「セラミック材料」、「単一ユニット構造は前記歯科用補綴物、前記周囲の歯列および前記周囲の歯茎の組織の色に全体にわたり適合するために多色である」、「歯科用インプラント修復システム」に、それぞれ相当する。
　してみると、本願発明と引用発明とは、
「インプラントと、
　インプラントに固定されるアバットメントと、
　およびアバットメント上に配置された歯科用補綴物とを具備しており、
　前記アバットメントは、インプラントに据付けるための基礎端および歯科用補綴物を支持するための冠状端を有する単一ユニット構造から成り、
　前記単一ユニット構造はセラミック材料で製作され、
　前記単一ユニット構造は前記歯科用補綴物、前記周囲の歯列および前記周囲の歯茎の組織の色に全体にわたり適合するために多色である歯科用インプラント修復システム。」
である点で一致し、両者に相違点はない。
　よって、本願発明は引用発明である。
第６　むすび
　したがって、本願発明は、引用例に記載された発明であるから、特許法第２９条第１項第３号に該当し、特許を受けることができないものである。
　よって、結論のとおり審決する。